(57)【要約】【目的】故障発生区間情報の送出、転送機能を有するとともにセクション管理情報を用いた通信が可能な相互接続装置を提供する。【解決手段】伝送信号のセクション管理情報を中継する管理情報中継部と、セクション管理情報の終端処理を行って上記相互接続装置の故障を検出する管理情報終端処理部と、伝送信号の入力断を検出する入力断検出部と、セクション管理情報に上記装置故障及び当該入力断を表すデータを書き込む故障情報書込部と、を有している。【選択図】図５
2007228030.tif 000002
【特許請求の範囲】
【請求項１】
伝送信号のセクション管理情報を中継しつつ複数の同期デジタル伝送網を相互接続する同期デジタル伝送網の相互接続装置であって、
前記セクション管理情報の終端処理を行って前記相互接続装置の故障を検出する管理情報終端処理部と、
前記伝送信号の入力断を検出する入力断検出部と、
前記セクション管理情報に当該装置故障及び当該入力断を表すデータを書き込む故障情報書込部と、を有することを特徴とする相互接続装置。
【請求項２】
前記故障情報書込部は、前記セクション管理情報のうちＤＣＣ（Data Communication Channel）通信に使用されるデータブロックを中継することを特徴とする請求項１に記載の相互接続装置。
【請求項３】
前記故障情報書込部は、前記セクション管理情報のＦ１バイトに当該装置故障及び当該入力断を表すデータを書き込むことを特徴とする請求項１に記載の相互接続装置。
【請求項４】
前記セクション管理情報は、中継セクションオーバーヘッドであることを特徴とする請求項１に記載の相互接続装置。
【発明の詳細な説明】
【技術分野】
【０００１】
本発明は、デジタル伝送網の相互接続装置、特に故障情報の転送機能を有する相互接続装置に関する。
【背景技術】
【０００２】
近年、インターネットの普及、ＦＴＴＨ（Fiber To The Home）等による加入者光アクセスネットワークの進展に伴い、高速デジタル伝送ネットワークが広く用いられている。かかるデジタル伝送装置としては、例えばＳＤＨ（Synchronous Digital Hierarchy）やＳＯＮＥＴ（Synchronous Optical NETwork）等の同期デジタル通信方式がある。
【０００３】
かかるデジタル伝送方式においては運用管理に関する多彩な機能が含まれるが、その中でも障害発生時における管理機能が非常に重要である。すなわち、障害発生時における障害箇所特定、障害通知機能、経路切り替え機能が重要である（例えば、特許文献１参照）。
【０００４】
例えば、ＳＤＨインターフェースを用いる伝送路においては、中間中継区間の警報転送等を行うために、セクション管理情報（ＳＯＨ：セクションオーバーヘッド）が用いられる。ＳＯＨは、バーチャルコンテナ（ＶＣ）に付加される保守・運用のための管理情報であって、パスやセクションの運用状態表示、誤り監視等の保守情報を転送するための情報である。そして、例えば、ＳＯＨの所定のバイト、例えば、Ｆ１バイトと呼ばれるバイトが故障特定を示すことが規定されている。
【０００５】
図１は、同期転送モードであるＳＴＭ−０（STM：Synchronous Transport Module）のフレームフォーマット（TTC標準JT-G707準拠）を示す図である。
【０００６】
図に示すように、ＳＴＭ−０のフレームは三つの領域、すなわち、オーバーヘッド、ＡＵポインタ及びペイロードからなっている。オーバーヘッドは、３行３バイト及び５行３バイトのＳＯＨ、すなわち、それぞれ中継セクションオーバーヘッド（Ｒ−ＳＯＨ）、端局セクションオーバーヘッド（Ｍ−ＳＯＨ）からなる。ペイロードには、１個のＶＣ−３及び固定スタッフ（ＦＳ）が収容され、先頭位置はＨ１及びＨ２バイトにより指定されることが規定されている。
【０００７】
図２は、セクション管理情報（ＳＯＨ）において中間中継装置の故障特定を示すＦ１バイトの一般的な定義を示す図である。
【０００８】
すなわち、ＳＤＨインターフェースを用いる伝送路においては、Ｆ１バイトを用いて警報転送がなされることが規定されている（TTC標準JT-G707準拠）。Ｆ１バイトの第１及び第２ビット、すなわち、ｂ１及びｂ２ビット（Ｒセクション）は検出警報を表し、第３〜第８ビット（ｂ３〜ｂ８ビット）は異常が検出された中間中継装置の識別番号（ＩＤ）を示している。
【０００９】
Ｒセクションは、"００"の場合に正常状態であることを、"０１"、"１０"、"１１"の場合には故障が検出されたことを示す。より詳細には、Ｒセクションが"１０"の場合には入力信号断又はフレーム同期外れが検出されたことを示す（当該故障を"REC"と表記）。また、"０１"及び"１１"の場合には誤り監視（ＢＩＰ−Ｎ演算）によって誤り（当該故障を、それぞれ"MAJ ERR"及び"ERR MON"と表記）が検出されたことを示す。
【００１０】
図３は、従来のＳＤＨネットワーク、当該ＳＤＨネットワークの中間中継装置を相互接続するＳＤＨ相互接続装置、及びＳＤＨ相互接続装置により警報が転送される警報転送網を示している。
【００１１】
より詳細には、図３は、同期デジタル伝送網（ＳＤＨネットワーク）のＳＤＨ中間中継装置111及びＳＤＨ中間中継装置111にＳＤＨ伝送路131を介して接続されたＳＤＨ相互接続装置121と、他の同期デジタル伝送網（ＳＤＨネットワーク）のＳＤＨ中間中継装置112及びＳＤＨ中間中継装置112にＳＤＨ伝送路133を介して接続されたＳＤＨ相互接続装置122と、ＳＤＨ相互接続装置121及びＳＤＨ相互接続装置122を接続する波長多重（ＷＤＭ）伝送路132と、を示している。
【００１２】
すなわち、ＳＤＨ相互接続装置121及びＳＤＨ相互接続装置122は、ＳＤＨ中間中継装置111及びＳＤＨ中間中継装置112をＷＤＭ伝送路132を介して相互接続している。このような従来のＳＤＨ相互接続装置においてはセクション管理情報（ＳＯＨ）を終端する構成になっていなかった。従って、図３に示す中継区間（伝送路）131、132、133のどの区間で故障が発生したかを判別、確認する方法がなく、ＳＤＨ相互接続装置121，122は、個別に警報転送網141を使用して警報を転送する必要があった。
【００１３】
また、ＳＤＨ相互接続装置をＲ−ＳＯＨを終端するように構成した場合には、Ｒ−ＳＯＨのＥ１バイトやＤ１〜Ｄ３バイト等が終端されるので、これらのＲ−ＳＯＨバイトを使用するＤＣＣ（Data Communication Channel）通信が不可能となってしまう。すなわち、ＳＤＨ相互接続装置121及びＳＤＨ相互接続装置122間においてＲ−ＳＯＨバイトによるＤＣＣ通信ができなくなるという問題があった。
【特許文献１】特開2001−217901号公報（第３頁、図１）
【発明の開示】
【発明が解決しようとする課題】
【００１４】
本発明は、上述した点に鑑みてなされたものであり、その目的とするところは、故障発生区間情報の送出、転送機能を有する相互接続装置を提供することを目的とする。また、故障発生区間情報を転送するとともにＤＣＣ通信が可能な相互接続装置を提供することを目的とする。
【課題を解決するための手段】
【００１５】
本発明の相互接続装置は、伝送信号のセクション管理情報を中継しつつ複数の同期デジタル伝送網を相互接続する同期デジタル伝送網の相互接続装置であって、セクション管理情報の終端処理を行って上記相互接続装置の故障を検出する管理情報終端処理部と、伝送信号の入力断を検出する入力断検出部と、セクション管理情報に上記装置故障及び当該入力断を表すデータを書き込む故障情報書込部と、を有することを特徴としている。
【発明を実施するための最良の形態】
【００１６】
以下、本発明の実施例を図面を参照しつつ詳細に説明する。尚、以下に説明する図において、実質的に同一又は等価な構成要素、部分には同一の参照符を付している。
【００１７】
図４は本発明の実施例である相互接続装置を有する光伝送ネットワーク１０の構成を模式的に示すブロック図である。光ネットワーク１０は、同期デジタル伝送網（ＳＤＨネットワーク）１０１のＳＤＨ中間中継装置（＃１）１１及びＳＤＨ中間中継装置１１にＳＤＨ伝送路３１を介して接続されたＳＤＨ相互接続装置（＃１）２１と、同期デジタル伝送網（ＳＤＨネットワーク）１０２のＳＤＨ中間中継装置（＃２）１２及びＳＤＨ中間中継装置１２にＳＤＨ伝送路３２を介して接続されたＳＤＨ相互接続装置（＃２）２２と、から構成されている。ＳＤＨ相互接続装置２１及びＳＤＨ相互接続装置２２は波長多重（ＷＤＭ）伝送路３２を介して接続されている。
【００１８】
すなわち、ＳＤＨ相互接続装置２１及びＳＤＨ相互接続装置２２は、ＳＤＨ中間中継装置１１を含むＳＤＨネットワーク１０１とＳＤＨ中間中継装置１２を含むＳＤＨネットワーク１０２とをＷＤＭ伝送路３２を介して相互接続している。
【００１９】
ＳＤＨ中間中継装置１１は、ＳＤＨ伝送路３０を介してＳＤＨネットワーク１０１内の他の装置、例えば、他のＳＤＨ中間中継装置や端局装置などに接続されている。同様に、ＳＤＨ中間中継装置１２は、ＳＤＨ伝送路３４を介してＳＤＨネットワーク１０２内の他の装置、例えば、他のＳＤＨ中間中継装置や端局装置などに接続されている。
【００２０】
なお、図４において、便宜上、ＳＤＨ中間中継装置１１からＳＤＨ中間中継装置１２への伝送方向を上り方向、その反対方向、すなわちＳＤＨ中間中継装置１２からＳＤＨ中間中継装置１１への伝送方向を下り方向として説明する。しかしながら、いずれが上り方向（又は下り方向）であっても構わない。
【００２１】
図５は、本発明によるＳＤＨ相互接続装置２１の構成を模式的に示すブロック図である。ＳＤＨ相互接続装置２１は、上り方向送受信回路２１Ａ及び下り方向送受信回路２１Ｂを有しているが、図５においては、上り方向送受信回路２１Ａの構成について示している。なお、説明の便宜上、各装置の送受信回路ブロック等について、それぞれ添え字Ａ，Ｂを付して、上り方向（Ａ）及び下り方向（Ｂ）を区別して説明する。
【００２２】
なお、図５においては、下り方向送受信回路２１Ｂの内部構成の詳細については省略しているが、下り方向送受信回路２１Ｂは、上り方向送受信回路２１Ａと同様な構成を有している。すなわち、下り方向送受信回路２１Ｂは、信号の向きが逆（下り方向）である点を除いて上り方向送受信回路２１Ａと同様な処理を下り方向の伝送信号に施す。
【００２３】
ＳＤＨ相互接続装置２１の上り方向送受信回路２１Ａは、光−電気変換器（以下、Ｏ／Ｅ変換器という。）４１、非終端Ｒ−ＳＯＨ中継部４２、Ｒ−ＳＯＨ終端処理部４３、入力断検出部４４、警報情報書込部４５、電気−光変換器（以下、Ｅ／Ｏ変換器という。）４６から構成されている。これら構成部分の各々の機能・動作について以下に詳細に説明する。
【００２４】
上り方向の送受信回路２１Ａは、前段の装置（図示しない）から伝送路３１を介して上り方向の光信号を受信する。
【００２５】
受信されたＳＤＨ信号は上り方向の光−電気変換器（Ｏ／Ｅ変換器）４１により電気信号に変換され、シリアル−パラレル変換された後、非終端Ｒ−ＳＯＨ中継部４２、Ｒ−ＳＯＨ終端処理部４３及び入力断検出部４４に供給される。なお、受信信号（電気信号）はシリアル−パラレル変換されずに上記回路ブロック４２、４３及び４４と等価な回路に供給され、処理されてもよい。
【００２６】
非終端Ｒ−ＳＯＨ中継部４２は、受信信号のＲ−ＳＯＨを終端しないで、当該受信信号を警報情報書込部４５に中継する。
【００２７】
Ｒ−ＳＯＨ終端処理部４３においては、ＢＩＰ（Bit Interleaved Parity）演算等の処理が行われ、各種の警報が検出される。より詳細には、当該Ｒ−ＳＯＨ処理においてＢＩＰ演算（BIP-8演算）結果の整合が行われる。また、ＢＩＰデータ等のＳＯＨデータの生成がなされ、警報情報書込部４５に供給される。
【００２８】
また、入力断検出部４４は、上り方向の送受信回路２１Ａへ入力される信号を監視して当該信号の入力断の発生を検出する。本実施例においては、Ｏ／Ｅ変換器４１からの出力電気信号を監視して入力断を検出しているが、Ｏ／Ｅ変換器４１への入力光信号を監視して光信号の入力断の発生を検出するようにしてもよい。そして、当該信号の入力断を検出した場合には、当該入力断を表す信号（以下、入力断信号という。）を警報情報書込部４５に供給する。
【００２９】
警報情報書込部４５は、Ｒ−ＳＯＨ終端処理部４３から供給されたＳＯＨデータ及び入力断検出部４４から供給された入力断信号に基づいて、当該警報情報を非終端Ｒ−ＳＯＨ中継部４２から中継されたＳＤＨ信号のセクション管理情報（ＳＯＨ）に書き込む。より具体的には、警報転送用のバイトとして規定されているＦ１バイト（TTC標準JT-G707準拠）に検出警報を書き込む。つまり、Ｆ１バイトのＲセクションである第１及び第２ビット（ｂ１及びｂ２ビット）に検出警報を、第３〜第８ビット（ｂ３〜ｂ８ビット）に異常が検出された装置（すなわち、当該ＳＤＨ相互接続装置２１）の識別番号（ＩＤ）を書き込む。
【００３０】
つまり、非終端Ｒ−ＳＯＨ中継部４２にて中継されたＳＤＨ信号は、警報情報書込部４５において警報情報がＦ１バイトに書き込まれる。そして、このように警報情報が書き込まれたＳＤＨ信号はパラレル−シリアル変換された後、Ｅ／Ｏ変換器４６に供給され、電気−光変換により光信号に変換される。当該光信号は波長多重／分離部４７に供給された後、波長多重（ＷＤＭ）伝送路３２を介してＳＤＨネットワーク１０２のＳＤＨ相互接続装置２２に転送される。
【００３１】
なお、前述のように、下り方向送受信回路２１Ｂは、上り方向送受信回路２１Ａと同様な構成を有し、上り方向送受信回路２１Ａと同様な処理を下り方向の伝送信号に施す。すなわち、下り方向の伝送信号（光信号）は、例えば波長フィルタで構成された波長多重／分離部４７において分離され、当該分離された光信号について、上記した上り方向送受信回路２１Ａによるものと同様な処理がなされる。すなわち、非終端Ｒ−ＳＯＨ中継部（図示しない）からの信号に、Ｒ−ＳＯＨ終端処理部及び入力断検出部（図示しない）による警報情報が書き込まれ、ＳＤＨ伝送路３１に送出される。
【００３２】
さらに、上記においてはＳＤＨ相互接続装置２１について説明したが、ＳＤＨ相互接続装置２２もＳＤＨ相互接続装置２１と同様な構成を有している。
【００３３】
上記した構成により、警報発生区間情報の転送が可能となる。従って、従来技術において必要であった警報を検出して当該警報検出情報を警報転送網141に転送するための警報検出・転送部が不要となる効果が得られる。
【００３４】
さらに、Ｒ−ＳＯＨ終端処理部４３に加え、非終端Ｒ−ＳＯＨ中継部４２が設けられている。すなわち、ＳＤＨ伝送路３１からのＳＤＨ信号は非終端Ｒ−ＳＯＨ中継部４２にて終端されない。従って、ＳＤＨ信号のＲ−ＳＯＨにおけるＥ１バイトやＤ１〜Ｄ３バイト等は非終端Ｒ−ＳＯＨ中継部４２によりトランスペアレントに中継されることとなり、波長多重（ＷＤＭ）伝送路３２に転送される。
【００３５】
このように、ＳＤＨ相互接続装置２１及び２２には非終端Ｒ−ＳＯＨ中継部４２がそれぞれ設けられているので、ＳＤＨ中間中継装置１１及び１２間にＳＤＨ相互接続装置２１，２２が挿入された場合でも、Ｄ１〜Ｄ３バイトによるＤＣＣ通信が可能となる効果が得られる。
【００３６】
以上、詳細に説明したように、故障発生区間情報の送出、転送機能を有する相互接続装置を提供することができる。また、故障発生区間情報を転送するとともにＤＣＣ通信が可能な相互接続装置を提供することができる。
【００３７】
上記した実施例ではＷＤＭ方式によるＳＤＨ相互接続装置に適用した場合を例に説明したが、ＳＤＨ信号のＲ−ＳＯＨのみ終端するようなＳＤＨ相互接続用の装置にはすべて適用することができる。
【００３８】
また、上記した実施例において、上り方向及び下り方向は便宜上設けたものであって、いずれが上り方向又は下り方向であっても構わない。また、上り方向及び下り方向が１本の光ファイバで構成される双方向伝送路の場合について説明したが、上り方向及び下り方向がそれぞれ別の伝送路、光ファイバ等で構成されたネットワークの場合であっても同様に適用することができる。
【００３９】
さらに、伝送ネットワークがＳＤＨ伝送系である場合を例に説明したが、これに限らない。例えば、ＳＯＮＥＴ伝送系、又はＳＯＮＥＴ／ＳＤＨを接続してなる伝送系であっても同様に適用することができる。
【００４０】
なお、上記した実施例は例示に過ぎない。また、上記した実施例を適宜改変及び組み合わせて適用することが可能である。
【図面の簡単な説明】
【００４１】
【図１】ＳＴＭ−０のフレームフォーマット（TTC標準JT-G707準拠）を説明する図である。
【図２】セクション管理情報（ＳＯＨ）において故障特定をなすＦ１バイトの定義を示す図である。
【図３】従来のＳＤＨネットワーク、当該ＳＤＨネットワークの中間中継装置を相互接続するＳＤＨ相互接続装置、及びＳＤＨ相互接続装置により警報が転送される警報転送網を示す図である。
【図４】本発明の実施例である相互接続装置を有する光伝送ネットワークの構成を模式的に示すブロック図である。
【図５】本発明によるＳＤＨ相互接続装置の構成を模式的に示すブロック図である。
【符号の説明】
【００４２】
１０  光ネットワーク
１１，１２  中間中継装置
２１，２２  相互接続装置
２１Ａ  上り方向送受信回路
２１Ｂ  下り方向送受信回路
３１，３３  ＳＤＨ伝送路
３２  ＷＤＭ伝送路
４１  Ｏ／Ｅ変換器
４２  非終端Ｒ−ＳＯＨ中継部
４３  Ｒ−ＳＯＨ終端処理部
４４  入力断検出部
４５  警報情報書込部
４６  Ｅ／Ｏ変換器
４７  波長多重／分離部
１０１，１０２  ＳＤＨ網
【図１】
2007228030.tif 000003
【図２】
2007228030.tif 000004
【図３】
2007228030.tif 000005
【図４】
2007228030.tif 000006
【図５】
2007228030.tif 000007